(57)【要約】【課題】発電機車の運転状態及び故障状態を遠隔地から確認でき、稼働中の発電機車の残燃料を遠隔地から確認でき、セキュリティを確保した通信機能を搭載することができ、さらに、遠隔地から発電機を起動することができる。【解決手段】運転状態監視装置７は運転状態情報に基づいて故障状態を判定し、サーバ９が、運転状態監視装置７からの運転状態情報及び故障状態情報を収集し、情報端末１２からインターネット１１を介して情報表示要求を受信し、受信された情報表示要求に応じて、収集された運転状態情報、故障状態情報を携帯電話基地局１０、インターネット１１を介して情報端末１２に送信する。【選択図】図２
2014115819.tif 000002
【特許請求の範囲】
【請求項１】
原動機、発電機、原動機及び発電機の運転状態を監視するとともに、前記発電機を起動するための運転状態監視装置と、前記運転状態監視装置からの運転状態情報をインターネット経由で情報端末に送信するサーバと、を備えた発電機車の遠隔監視制御システムであって、
前記運転状態監視装置は、
前記運転状態情報に基づいて故障状態を判定する判定手段を備え、
前記サーバは、
前記運転状態監視装置からの運転状態情報及び故障状態情報を収集する収集手段と、
前記情報端末からインターネット経由で情報表示要求を受信する受信手段と、
前記受信手段により受信された情報表示要求に応じて、前記収集手段により収集された前記運転状態情報、前記故障状態情報をインターネット経由で前記情報端末に送信する送信手段と、を備えたことを特徴とする発電機車の遠隔監視制御システム。
【請求項２】
前記サーバは、
前記情報端末からインターネット経由で前記発電機の起動指示を受信する受信手段を備え、
前記受信手段により受信された前記発電機の起動指示を前記運転状態監視装置に出力し、前記発電機を起動させることを特徴とする請求項１記載の発電機車の遠隔監視制御システム。
【請求項３】
前記サーバは、
前記運転状態監視装置から前記発電機が起動したことを示す起動中信号または運転中信号を入力した場合に、前記送信手段は、前記発電機が起動中または運転中であることを示す表示情報をインターネット経由で前記情報端末に送信することを特徴とする請求項２記載の発電機車の遠隔監視制御システム。
【請求項４】
前記運転状態監視装置は、
前記判定手段により判定された故障状態情報が重故障である場合に、前記サーバから入力された前記発電機の起動指示をリセットすることを特徴とする請求項２記載の発電機車の遠隔監視制御システム。
【請求項５】
前記運転状態監視装置は、
前記判定手段により判定された故障状態情報が重故障または軽故障である場合に、故障項目を示す名称情報を前記サーバに出力し、
前記サーバは、前記送信手段により前記運転状態監視装置から入力された故障項目を示す名称情報をインターネット経由で前記情報端末に送信することを特徴とする請求項４記載の発電機車の遠隔監視制御システム。
【請求項６】
前記サーバから前記情報端末に送信される名称情報として、重故障は、始動渋滞、潤滑油圧力低下、冷却水温度上昇、発電機固定子温度上昇、過速度、過電圧、不足電圧、地絡過電圧、シーケンサ異常、過負荷、逆電力、非常停止のうちの少なくとも１つであり、軽故障は、不平衡付加、進相負荷、同期渋滞、燃料油面低下、換気異常、冷却水不足、冷却水温度警報、潤滑油温度警報、発電機軸受温度上昇、排気温度警報、発電機固定子センサ断線、発電機軸受センサ断線、排気温度センサ断線、潤滑油温度センサ断線、冷却水温度センサ断線、接続箱保護カバー開放、警報電源断のうちの少なくとも１つであることを特徴とする請求項１記載の発電機車の遠隔監視制御システム。
【請求項７】
前記サーバは、前記サーバに登録されたユーザＩＤ及びパスワードを有するユーザにのみ前記サーバへ遠隔からのログインを許可し、前記サーバと前記情報端末間を暗号化してデータ通信を行うことを特徴とする請求項１乃至６の何れか１項記載の発電機車の遠隔監視制御システム。
【発明の詳細な説明】
【技術分野】
【０００１】
本発明は、原動機、発電機、原動機及び発電機の各運転状態情報を遠隔地に設けられた情報端末に送信するのに好適な発電機車の遠隔監視制御システムに関する。
【背景技術】
【０００２】
従来、災害の発生時、停電の発生時等に非常用の電力を配電線に供給するために用いられる発電機車が知られている。発電機車は、発電機とこの発電機の駆動源となる原動機（ディゼル・エンジンやガソリン・エンジン）とをトラック等の移動用車両に搭載しているものである。
発電機車には、発電機と原動機の運転状況を監視するために運転状況監視装置が設けられている。
停電が発生した現場では、発電機車から電力を配電線に供給し、現地の社員は発電機車の運転状況情報を管理事務所へ報告する必要があった。特に、燃料の手配については、現地の社員から連絡を受けて各事業所の担当者が対応していた。
発電機車を他事業所または他社へ貸し出した場合に、発電機の運転時間などの運転状況を確認するには、貸し出し先の担当者からの聞取りや、返却時の引継事項の聞き取りによって行っていた。
発電機が不調の場合、メーカ側の技術者を現地に派遣する必要があり、技術者が現地まで移動して発電機車に設けられた機器を確認するまで時間を要していた。
【０００３】
特許文献１には、運転状況判定装置が、発電機及び原動機の運転状況を検出する検出手段からの検出データと予め記憶した判定用基準データとに基づいて発電機及び原動機の運転状況を判定し、処置が必要な異常を検出すると異常の内容を画像表示によって表示させる技術が開示されている。
特許文献２には、運転状況判定装置が、発電機及び原動機の運転状況を検出する検出手段からの検出データと予め記憶した判定用基準データとに基づいて発電機及び原動機の運転状況を判定し、運転状態に異常が発生したことを検出すると異常の発生を表示手段に表示させ、異常の発生を検出していないときには、発電機の運転状況を表示する発電機側表示モードと、原動機の運転状況を表示する原動機側表示モードと、発電機の運転状況及び原動機の運転状況を交互に表示する自動表示モードの三種類の表示モードのいずれかの表示モードに従って判定結果を出力する技術が開示されている。
特許文献１および特許文献２にあっては、発電機車の運転状況を運転席のモニタ画面および液晶ディスプレイに表示し、発電機車に搭載された発電機の計器類を参照できるように構成されている。
【０００４】
特許文献３には、車外設備に電力を供給するための給電装置を車両に積載した移動電源車であって、給電装置の運転状況を検知する検知手段と、該検知手段が検知したデータを給電装置から離れた場所に送信するための送信手段を備えるように構成されており、発電機車の運転状況を運転席または無線装置を介して離れた場所で発電機の情報を参照および制御する技術が開示されている。
特許文献４には、車両用電源管理装置が、車載バッテリが残容量不足状態であると判定されると、車載バッテリが残容量不足状態であることを表す警告通知信号を、無線通信により、車両側通信装置から外部ネットワーク送受信センタを経由して利用者側通信装置に対して出力する。無線通信により警告通知情報を出力することで、車両から離れた場所に居る車両利用者に対して、車載バッテリが残容量不足状態に陥ったことを通知する技術が開示されている。
【先行技術文献】
【特許文献】
【０００５】
【特許文献１】特許第３４７８９０２号
【特許文献２】特許第３５４２８２４号
【特許文献３】特開２００２−１６６７７７公報
【特許文献４】特開２００４−１４２６６１公報
【発明の概要】
【発明が解決しようとする課題】
【０００６】
しかしながら、特許文献１、及び特許文献２にあっては、発電機の運転状況等を監視できる場所が運転席のみとなっており、事務所などの離れた場所ならびに他事業所および他社への貸出の際には運転状況を監視することができないといった問題があった。
また、特許文献３にあっては、電波や赤外線による無線送信（無線ＬＡＮ）の他、モデムと電話回線、携帯電話によるインターネットサービスを利用したいという程度に留まっており、無線による情報参照を行うための具体的な構成が記載されていない。
また、特許文献４にあっては、無線通信による監視が実現されているが、発電機車の近辺で情報を参照できる程度に留まっていた。
そこで、発電機車にサーバを備え、サーバが情報端末からインターネット経由で受信した情報表示要求に応じて、運転状態情報、故障状態情報を情報端末に送信することで、発電機車の運転状況及び故障状況を遠隔地から確認でき、稼働中の発電機車の残燃料を遠隔地から確認でき、セキュリティを確保した通信機能を搭載することができ、さらに、遠隔地から発電機を起動することが切望されている。
【０００７】
本発明は、上記に鑑みてなされたもので、その目的としては、発電機車にサーバを備え、サーバが情報端末からインターネット経由で受信した情報表示要求に応じて、運転状態情報、故障状態情報を情報端末に送信することで、発電機車の運転状態及び故障状態を遠隔地から確認でき、稼働中の発電機車の残燃料を遠隔地から確認でき、セキュリティを確保した通信機能を搭載することができ、さらに、遠隔地から発電機を起動することができる発電機車の遠隔監視制御システムを提供することにある。
【課題を解決するための手段】
【０００８】
上記課題を解決するため、請求項１記載の発明は、原動機、発電機、原動機及び発電機の運転状態を監視するとともに、前記発電機を起動するための運転状態監視装置と、前記運転状態監視装置からの運転状態情報をインターネット経由で情報端末に送信するサーバと、を備えた発電機車の遠隔監視制御システムであって、前記運転状態監視装置は、運転状態情報に基づいて故障状態を判定する判定手段を備え、前記サーバは、前記運転状態監視装置からの運転状態情報及び故障状態情報を収集する収集手段と、前記情報端末からインターネット経由で情報表示要求を受信する受信手段と、前記受信手段により受信された情報表示要求に応じて、前記収集手段により収集された前記運転状態情報、前記故障状態情報をインターネット経由で前記情報端末に送信する送信手段と、を備えたことを特徴とする。
【発明の効果】
【０００９】
本発明によれば、運転状態監視装置が、運転状態情報に基づいて故障状態を判定し、サーバが、運転状態監視装置からの運転状態情報及び故障状態情報を収集し、情報端末からインターネット経由で情報表示要求を受信し、受信された情報表示要求に応じて、収集された運転状態情報、故障状態情報をインターネット経由で情報端末に送信するので、発電機車の運転状態及び故障状態を遠隔地から確認することができる。
【図面の簡単な説明】
【００１０】
【図１】本発明の第１実施形態に係る発電機車の遠隔監視制御システムに適用可能な発電機車について説明するための側面断面図である。
【図２】本発明の第１実施形態に係る遠隔監視制御システムの全体構成について説明するためのシステム図である。
【図３】本発明の第１実施形態に係る遠隔監視制御システムを構成する各装置間のデータ伝送に関するシーケンス図である。
【図４】本発明の第１実施形態に係る遠隔監視制御システムを構成する各装置間のデータ伝送に関するサーバ９の動作について説明するためのフローチャートである。
【図５】情報端末に表示される運転状態ディスプレイの初期画面を示す図である。
【図６】情報端末に表示される故障状態ディスプレイの初期画面を示す図である。
【図７】情報端末に表示される計測データディスプレイの初期画面を示す図である。
【図８】運転状態監視装置による故障判断処理について示すフロー図（その１）である。
【図９】運転状態監視装置による故障判断処理について示すフロー図（その２）である。
【図１０】運転状態監視装置による故障判断処理について示すフロー図（その３）である。
【図１１】本発明の第２実施形態に係る遠隔監視制御システムを構成する各装置間のデータ伝送に関するシーケンス図である。
【図１２】（ａ）は本発明の第２実施形態に係る遠隔監視制御システムを構成する各装置間のデータ伝送に関するサーバ９の動作について説明するためのフローチャートであり、（ｂ）〜（ｄ）は表示画面例を示す図である。
【図１３】運転状態監視装置による発電機起動処理について示すフロー図である。
【発明を実施するための形態】
【００１１】
本発明の実施形態について、図面を参照して説明する。
＜第１実施形態＞
図１は本発明の第１実施形態に係る発電機車の遠隔監視制御システムに適用可能な発電機車について説明するための側面断面図である。
図１に示す発電機車１は、ベース車両を低床２軸車や低床３軸車（図示しない）とした自走式トラックを採用した。
原動機２には、ディーゼルエンジンを採用しており、長時間の運転においてディーゼルエンジンを停止することなく潤滑油が補給できる構造とし、潤滑油補給タンクおよび潤滑油自動補給弁を付属装備している。
発電機３は、広域災害などの緊急送電への対応を考慮し、発電周波数５０／６０Ｈｚ、出力７５０ｋＶＡ（５０Ｈｚ）、出力１０００ｋＶＡ（６０Ｈｚ）、発電電圧３，３００／６，６００Ｖを切替え可能としたものである。
【００１２】
燃料タンク４は、８００Ｌの容量を有し、全負荷時無給油にて３時間以上の運転が可能であり、給油サイクルを減少させ作業員の疲労度を軽減した。バッテリ５は、発電機車１に設けられた電気機器に電力を供給するため十分な容量を必要とする。
操作盤６は、屋内自立閉鎖形で防塵防音構造とし、自動電圧調整器、自動充電装置、保護継電器、自動並列運転装置、シーケンサなどの電子機器を収納している。
運転状態監視装置７は、原動機２と発電機３と原動機２及び発電機３の運転状態を検出する複数の検出センサからの検出データと予め記憶した判定用基準データとに基づいて原動機２及び発電機３の運転状態を判定し、異常を検出するとディスプレイに異常の内容を画像表示する。
サーバ９については後述することとする。
【００１３】
次に、図２に示すシステム図を参照して、遠隔監視制御システムの全体構成について説明する。
運転状態監視システムは、運転状態監視装置７、サーバを発電機車１に備え、サーバ９と携帯電話基地局１０とがインターネット経由で接続され、携帯電話基地局１０と情報端末１２とがインターネットを介して接続されている。
【００１４】
運転状態監視装置７は、各種センサにより検出された検出信号を操作盤６またはＴＤ部（トランスデューサ）７ｈを介してＡ／Ｄ変換器７ｉに入力し、Ａ／Ｄ変換器７ｉにより所定の周波数を有するサンプリングクロックでアナログの検出信号をデジタルの検出データに変換し、検出データは監視ＰＬＣ部７ｊを介してサーバ９へ出力する。
ＴＤ部７ｈは、各種センサにより検出された物理エネルギーをアナログ電圧信号に変換し、Ａ／Ｄ変換器７ｉに出力する。ＴＤ部７ｈは、各種センサに設けられた出力ゲートを開閉するためのゲート信号を出力してデータ収集を管理する。
操作盤６は、上述したように各種機器を収納していることに加えて、各種操作を行うための発電機始動ＳＷ、始動補助ＳＷ、発電機停止ＳＷ、上述した各種センサに接続され運転状態を視覚的に確認するための電圧計、電流計、電力計、各種遮断器、周波数計、各種温度計、燃料計等が収納されている。
【００１５】
発電機車１には、発電機に設けられた発電機センサ３ａ、開閉器センサ７ａ、燃料タンク４に設けられた燃料計４ａ、発電機の出力に設けられた例えばクランプ型の電流計７ｂ、発電機に設けられた電圧計７ｃ、発電機に設けられた電力量計７ｄ、発電機に設けられた周波数計７ｅ、発電機の各部に設けられた各種温度計７ｆ、発電機に設けられた潤滑油圧力計７ｇなどの各種センサが設けられている。
運転状態監視装置７は、運転状態情報に基づいて重故障状態を判定する重故障判定部８ａと、軽故障状態を判定する重故障判定部８ｂと、発電機を起動する発電機起動部８ｇとを備えている。
【００１６】
サーバ９は、情報端末１２からインターネット１１を介して監視表示要求を受信し、受信された監視表示要求に応じて運転状態監視装置７に、原動機２および発電機３の運転状態を検出させ、運転状態監視装置７により検出された運転状態をサーバ内のストレージ９ｋに保存し、さらに、インターネット１１を介して要求元の情報端末１２に送信する。
監視ＰＬＣ＿Ｉ／Ｆ部９ａは、監視ＰＬＣ部７ｊとの間に接続されているＬＡＮケーブルを介して接続されたイーサーネット上をＩＰプロトコルに従って、データ通信を行う。
暗号化処理部９ｂは、ｈｔｔｐｓプロトコルを利用し、インターネットを経由したデータ通信を暗号化して行い、通信のセキュリティを保つ。
Ｗｅｂ表示部９ｃは、情報端末１２からの情報表示要求に応じて認証画面データ、初期画面データ、表示データ等を生成して情報端末１２に送信する。
ユーザ管理部９ｄは、ログイン時にストレージ９ｋに登録されている既存のユーザＩＤおよびパスワードとの照合処理と認証処理を行うとともに、ストレージ９ｋへのユーザＩＤおよびパスワードの新規登録処理を行う。
【００１７】
データ収集部９ｅは、監視ＰＬＣ部７ｊから受信した検出データを記憶して管理する。
データ加工部９ｆは、データ収集部９ｅで収集された検出データを表示データに加工して後にＷｅｂ表示部９ｃに送信する。
携帯電話モジュールＩ／Ｆ部９ｇは、携帯電話モジュール９ｍへ送信するためのインターフェースであり、サーバ内の信号をデータ通信用に加工処理を行う。
ＣＰＵ９ｉは、ソフトウェアの命令に基づきサーバの各装置を制御し、かつ、暗号化処理部９ｂ、Ｗｅｂ表示部９ｃ、ユーザ管理部９ｄ、データ収集部９ｅ、データ加工部９ｆのからの演算要求に応じて、各種演算を行う。
メモリ９ｊは、ＣＰＵ９ｉで利用する命令やデータを記憶する。
ストレージ９ｋは、サーバに用いるオペレーティングシステム、アプリケーションソフトウエアならびに各種のデータを記憶する。
携帯電話モジュール９ｍは、無線通信回線を介して携帯電話基地局１０との間でデータ通信を行うための通信装置であり、ＣＤＭＡ方式やＴＤＭＡ方式を利用し、高速なデータ通信を行う。
ここでは、通信のセキュリティ対策にｈｔｔｐｓプロトコルを利用する方法を説明したが、ＳＳＨまたはＶＰＮ等に変更または併用し、通信のセキュリティを確保してもよい。
【００１８】
次に、図３に示すシーケンス図を参照して、遠隔監視制御システムを構成する各装置間のデータ伝送に関するシーケンスについて説明する。
運転状態監視装置７では、所定の周期で発電機車から情報収集が行われ、各種センサの検出データが所定の周期で監視ＰＬＣ部７ｊに出力される。
詳しくは、シーケンスＳｅ１では、各種センサにより検出された検出信号を操作盤６またはＴＤ部（トランスデューサ）７ｈを介してＡ／Ｄ変換器７ｉに入力し、Ａ／Ｄ変換器７ｉにより所定の周波数を有するサンプリングクロックでアナログの検出信号をデジタルの検出データに変換し、検出データを監視ＰＬＣ部７ｊに出力され、一旦、検出データをデータ記憶部７ｋに記憶する。
【００１９】
情報端末１２とサーバ９とが接続され、情報端末１２が情報表示要求をサーバ９に送信する場合のシーケンスについて説明する。
シーケンスＳｅ１１では、ユーザが情報端末１２を操作してサーバ９のＵＲＬを入力し、情報端末１２からインターネット１１、インターネットＧ／Ｗ１４、携帯電話会社網１３、携帯電話基地局１０、携帯電話モジュール９ｍ、携帯電話モジュールＩ／Ｆ部９ｇを介してＷｅｂ表示部９ｃにログイン要求が送信される。シーケンスＳｅ１２では、ログイン要求を受信したＷｅｂ表示部９ｃは、携帯電話モジュールＩ／Ｆ部９ｇ、携帯電話モジュール９ｍ、携帯電話基地局１０、携帯電話会社網１３、インターネットＧ／Ｗ１４、インターネット１１を介して認証画面データを情報端末１２に送信する。
認証画面データを受信した情報端末１２は、認証画面をディスプレイに表示する。ユーザの操作に応じて情報端末１２にユーザＩＤおよびパスワードが入力された場合、シーケンスＳｅ１３では、情報端末１２はサーバ９にユーザＩＤおよびパスワードを送信する。
情報端末１２からユーザＩＤおよびパスワードを受信したサーバは、シーケンスＳｅ１４では、ユーザ管理部９ｄにユーザＩＤおよびパスワードを送信し、ユーザ管理部９ｄにおいてストレージ９ｋに記憶されているユーザデータと当該ユーザＩＤおよびパスワードと照合させ、シーケンスＳｅ１５では、ユーザ管理部９ｄは認証結果をＷｅｂ表示部９ｃに送信する。以下、当該ユーザＩＤおよびパスワードがサーバ９に登録されていたこととして本シーケンスを説明する。
【００２０】
既登録を示す照合結果を受信したＷｅｂ表示部９ｃは、シーケンスＳｅ１６では、初期画面データを情報端末１２へ送信する。
さらに、シーケンスＳｅ１７では、情報端末１２のディスプレイに表示された当該初期画面の操作により情報表示要求をサーバに送信する。情報表示要求を受信したサーバは、シーケンスＳｅ１８では、情報表示要求を表示データ要求に変換してデータ加工部９ｆに送信する。シーケンスＳｅ１９では、表示データ要求をデータ要求に変換してデータ収集部９ｅに送信する。シーケンスＳｅ２０では、データ要求をデータ収集要求に変換して監視ＰＬＣ＿Ｉ／Ｆ部９ａに送信する。シーケンスＳｅ２１では、データ収集要求を監視ＰＬＣ部７ｊに送信する。
データ収集要求を受信した監視ＰＬＣ部７ｊは、シーケンスＳｅ２２では、上述したシーケンスＳｅ１においてデータ記憶部７ｋに記憶しておいた検出データを読み出して監視ＰＬＣ＿Ｉ／Ｆ部９ａに送信する。
検出データを受信した監視ＰＬＣ＿Ｉ／Ｆ部９ａは、シーケンスＳｅ２３では、検出データをデータ収集部９ｅに送信する。次いで、シーケンスＳｅ２４では、データ収集部９ｅは検出データをデータ加工部９ｆに送信する。次いで、シーケンスＳｅ２５では、検出データを受信したデータ加工部９ｆは、検出データを表示データに加工して後にＷｅｂ表示部９ｃに送信する。
【００２１】
次いで、シーケンスＳｅ２６では、Ｗｅｂ表示部９ｃは、表示データを携帯電話モジュールＩ／Ｆ部９ｇ、携帯電話モジュール９ｍ、無線通信回線を介して携帯電話基地局１０、携帯電話会社網１３、インターネットＧ／Ｗ１４、インターネット１１、情報端末１２に送信する。
この結果、情報端末１２の表示画面には発電機車１に設けられた各種センサにより検出されたデータ値が表示される。なお、図３に示すシーケンス図では、運転状態監視装置７からサーバ９、情報端末１２へ検出データを送信することとして説明したが、検出データ以外に、運転状態監視装置７、サーバ９、情報端末１２へ運転状態情報や故障状態情報を送信してもよい。
【００２２】
次に、図４に示すフローチャートを参照して、遠隔監視制御システムを構成する各装置間のデータ伝送に関するサーバ９の動作について説明する。
まず、サーバ９に電源が投入され、ＣＰＵ９ｉはストレージ９ｋからオペレーティングシステム（ＯＳ）を読み出してメモリ９ｊ上に命令を展開してＯＳを起動する。次いで、ＯＳ管理下において、ストレージ９ｋからプログラムの命令を読み出し、図４に示すフローチャートの処理内容を含むプログラムを起動する。
次いで、ステップＳ１０では、情報端末１２からインターネット１１，インターネットＧ／Ｗ１４、携帯電話会社網１３、携帯電話基地局１０、携帯電話モジュール９ｍから携帯電話モジュールＩ／Ｆ部９ｇを介してＷｅｂ表示部９ｃに認証画面の表示要求を受けた場合には、ｈｔｔｐｓの暗号化通信を行い、ステップＳ１５に進む。
【００２３】
次いで、ステップＳ１５では、認証画面の表示要求を受信したＷｅｂ表示部９ｃは、認証画面データを情報端末１２に送信する。
次いで、ステップＳ２０では、Ｗｅｂ表示部９ｃは、情報端末１２からユーザＩＤおよびパスワードを受信し、ユーザ管理部９ｄにユーザＩＤおよびパスワードを送信する。
次いで、ステップＳ２５では、ユーザ管理部９ｄは、受信したユーザＩＤおよびパスワードをキーとして、ストレージ９ｋに登録されているユーザデータを探索して当該ユーザＩＤおよびパスワードと照合する。
【００２４】
登録ユーザの場合（Ｓ３０  Ｙｅｓ）にはステップＳ３５に進み、Ｗｅｂ表示部９ｃは、初期画面データを情報端末１２へ送信する。このように、ユーザＩＤおよびパスワードが登録されたユーザのみにサーバ９との通信を許可し、さらに暗号化処理部９ｂによりデータ通信を暗号化して行うことで、通信のセキュリティを保つことができる。
この結果、情報端末１２のディスプレイには、初期画面が表示される。情報端末１２は、情報表示要求をサーバに送信する。
次いで、ステップＳ４０では、Ｗｅｂ表示部９ｃは、情報端末１２から情報表示要求を受信する。
【００２５】
次いで、ステップＳ４５では、Ｗｅｂ表示部９ｃは、表示データ要求をデータ加工部９ｆに送信し、データ加工部９ｆは表示データ要求をデータ要求に変換してデータ収集部９ｅに送信し、データ収集部はデータ要求をデータ収集要求に変換して監視ＰＬＣ＿Ｉ／Ｆ部９ａに送信し、監視ＰＬＣ＿Ｉ／Ｆ部９ａは監視ＰＬＣ部７ｊに送信する。
監視ＰＬＣ＿Ｉ／Ｆ部９ａからデータ収集要求を受信した監視ＰＬＣ部７ｊは、データ記憶部７ｋに一旦記憶しておいた検出データを読み出して監視ＰＬＣ＿Ｉ／Ｆ部９ａに送信する。
ステップＳ５０では、監視ＰＬＣ＿Ｉ／Ｆ部９ａは、監視ＰＬＣ部７ｊから検出データを受信し、受信した検出データをデータ収集部９ｅに送信し、検出データをストレージ９ｋに記憶する。
【００２６】
次いで、ステップＳ５５では、データ収集部９ｅは検出データをデータ加工部９ｆに送信し、検出データを受信したデータ加工部９ｆは、検出データを表示データに加工して後にＷｅｂ表示部９ｃに送信する。
次いで、ステップＳ６０では、Ｗｅｂ表示部９ｃは、表示データを携帯電話モジュールＩ／Ｆ部９ｇ、携帯電話モジュール９ｍ、無線通信回線、携帯電話基地局１０、携帯電話会社網１３、インターネットＧ／Ｗ１４、インターネット１１、情報端末１２に送信する。
この結果、情報端末１２の表示画面には発電機車１に設けられた各種センサにより検出されたデータ値が表示される。
【００２７】
次いで、ステップＳ６５では、Ｗｅｂ表示部９ｃは、情報端末１２からログアウト情報を受信したか否かを判断する。情報端末１２からログアウト情報を受信していない場合（Ｓ６５  Ｎｏ）には、ステップＳ４０に戻り、ステップＳ４０〜Ｓ６５での処理を繰り返す。一方、情報端末１２からログアウト情報を受信した場合（Ｓ６５  Ｙｅｓ）には、該当するユーザのログアウト処理を行う。
なお、図４に示すフローチャートでは、運転状態監視装置７からサーバ９、情報端末１２へ検出データを送信することとして説明したが、検出データ以外に、運転状態監視装置７からサーバ９、情報端末１２へ運転状態情報や故障状態情報を送信してもよい。
【００２８】
図５〜図７は、サーバ９から情報端末１２に提供される表示データをディスプレイ上に表示した場合の表示例を示す図であり、図５は運転状態情報を表示する運転状態モニタを示し、図６は故障状態情報を表示する故障状態モニタを示し、図７は検出データを表示する計測データモニタを示す。
図５〜図７に示す画面において、画面切り替えを行う場合は、モニタ名が表示されているタグを例えばマウスによるカーソル操作とクリック操作により指定することで、所望のタグを選択して画面切替を行うことができる。また、図５〜図７に示す画面において、ログアウトボタン２１ａ、２１ｂ、２１ｃに対して、クリック操作を検出した場合にはログアウト処理が行われる。
【００２９】
次に、図８〜図１０に示すフロー図を参照して、運転状態監視装置７による故障判断処理について説明する。なお、図８〜図１０に示すフロー図は正論理で示されている。
まず、図８において、（Ｊ１）操作盤６から［機関始動命令］を受け付けた場合に、タイマを１５秒間計時している間論理「１」を出力し、発電機センサ３ａからの回転速度が［低速検知＞３００ｍｉｎ−１］となったときにタイマの計時を解除して論理「０」とし、発電機３が［始動渋滞］論理「１」であると重故障判定部８ａが判断し、故障名モニタ表示指示を発生し、ブザー音ＢＺを発生し、発電機停止指示を発生し、発電側遮断器を作動する。
（Ｊ２）発電機３の回転速度が［低速検知＞３００ｍｉｎ−１］となった場合にタイマを３０秒間計時している期間論理「１」を出力し、油圧圧力計７ｇからの潤滑油圧力が［潤滑油圧力＜３００ｋＰａ＋１５ｋＰａ、−０ｋＰａ］となった場合に［ＡＮＤ］から論理「１」を出力し、発電機３が［潤滑油圧力低下］論理「１」であると重故障判定部８ａが判断し、故障名モニタ表示指示を発生し、ブザー音ＢＺを発生し、発電機停止指示を発生し、発電側遮断器を作動する。
【００３０】
（Ｊ３）発電機３の回転速度が［低速検知＞３００ｍｉｎ−１］となった場合にタイマを３０秒間計時している期間論理「１」を出力し、温度計７ｆが［冷却水温度＞１０１±２℃］となった場合に［ＡＮＤ］から論理「１」を出力し、発電機３が［冷却水温度上昇］論理「１」であると重故障判定部８ａが判断し、故障名モニタ表示指示を発生し、ブザー音ＢＺを発生し、発電機停止指示を発生し、発電側遮断器を作動する。
（Ｊ４）発電機３の発電機固定子温度が［発電機固定子温度＞１２０±２℃］となった場合に、タイマを２秒間計時している間論理「１」を出力し、［発電機固定子温度上昇］論理「１」であると重故障判定部８ａが判断し、故障名モニタ表示指示を発生し、ブザー音ＢＺを発生し、発電機停止指示を発生し、発電側遮断器を作動する。
【００３１】
（Ｊ５）原動機２の［エンジンの回転速度＞２０３０ｍｉｎ−１＋０、−３０ｍｉｎ−１］となった場合に論理「１」を出力し、交流周波数が６０Ｈｚの発電時であるとき論理「１」を出力し、または、［エンジン回転速度＞１６９０ｍｉｎ−１＋０、−３０ｍｉｎ−１］となった場合に［ＯＲ］から論理「１」を出力し、交流周波数が５０Ｈｚの発電時であるときに論理「１」を出力し、何れか１つが論理「１」の場合に［過速度］論理「１」であると重故障判定部８ａが判断し、故障名モニタ表示指示を発生し、ブザー音ＢＺを発生し、発電機停止指示を発生し、発電側遮断器を作動する。
（Ｊ６）電圧計７ｃの電圧が［発電電圧＞７２００Ｖ（１２０Ｖ±２％）時限：２秒］である場合に論理「１」を出力し、［過電圧］論理「１」であると重故障判定部８ａが判断し、故障名モニタ表示指示を発生し、ブザー音ＢＺを発生し、発電機停止指示を発生し、発電側遮断器を作動する。
【００３２】
（Ｊ７）電圧計７ｃの電圧が［発電電圧＜５１００Ｖ（８５Ｖ±５％）］である場合に、タイマを２秒間計時している期間論理「１」を出力し、かつ、原動機２が［規定速度＞１３５０ｍｉｎ−１］である場合に、タイマを１０秒間計時している期間論理「１」を出力し、論理「１」が重複するとき［ＡＮＤ］から論理「１」を出力し、［不足電圧］論理「１」であると重故障判定部８ａが判断し、故障名モニタ表示指示を発生し、ブザー音ＢＺを発生し、発電機停止指示を発生し、発電側遮断器を作動する。
（Ｊ８）［地絡過電圧＞６０Ｖ±５％時限：０．２秒］である場合に、タイマを０．５秒間計時している間論理「１」を出力し、［地絡過電圧］論理「１」であると重故障判定部８ａが判断し、故障名モニタ表示指示を発生し、ブザー音ＢＺを発生し、発電機停止指示を発生し、発電側遮断器を作動する。
【００３３】
（Ｊ９）［ＰＬＣ用直流制御電源あり］で論理「１」を出力し、かつ、［ＰＬＣ停止］が論理「１」の場合に［ＡＮＤ］から論理「１」を出力し、タイマを１０秒間計時している期間論理「１」を出力し、または、［シーケンサ電源及びトリップ（ＣＰ−ＰＬＣ）］が論理「１」である場合に［ＯＲ］から論理「１」を出力し、［シーケンサ異常］であると重故障判定部８ａが判断し、ブザー音ＢＺを発生し、発電機停止指示を発生し、発電側遮断器を作動する。なお、シーケンサ異常の場合は、「故障モニタ表示」はできない。
（Ｊ１０）負荷が［負荷＞４２０ｋＷ±５ｋＷ］である場合に論理「１」を出力し、タイマを５秒間計時している間論理「１」を出力し、［過負荷］論理「１」であると重故障判定部８ａが判断し、故障名モニタ表示指示を発生し、ブザー音ＢＺを発生し、発電機停止指示を発生し、発電側遮断器を作動する。
【００３４】
（Ｊ１１）電力量計７ｄの電力が［逆電力＞−５２．１ｋＷ±２％時限：８秒］である場合に論理「１」を出力し、タイマを２秒計時している間論理「１」を出力し、［逆電力］論理「１」であると重故障判定部８ａが判断し、故障名モニタ表示指示を発生し、ブザー音ＢＺを発生し、発電機停止指示を発生し、発電側遮断器を作動する。
（Ｊ１２）運転席に設けられたパーソナルコンピュータのグラフィック操作面の［異常停止引きスイッチ］、または、運転席監視盤に設けられた［非常停止スイッチ］が操作された場合に［ＯＲ］から論理「１」を出力し、［非常停止］論理「１」であると重故障判定部８ａが判断し、故障名モニタ表示指示を発生し、ブザー音ＢＺを発生し、発電機停止指示を発生し、発電側遮断器を作動する。この場合、電子ガバナ電源断し、バイパス側遮断器を作動する。
（Ｊ１３）電流計７ｂの電流が［発電側過電流＞限時：４．０Ａ（４８Ａ）、瞬時：２０Ａ（２４０Ａ）、目盛：２］である場合に論理「１」を出力し、［発電側過電流］論理「１」であると重故障判定部８ａが判断し、故障名モニタ表示指示を発生し、ブザー音ＢＺを発生し、発電側遮断器を作動する。
【００３５】
次いで、図９において、（Ｊ１４）バイパス側の電流計７ｂが［バイパス側過電流＞限時：５．０Ａ（１５０Ａ）、瞬時：２０Ａ（６００Ａ）、時限：１０］の場合に論理「１」を出力し、［バイパス側過電流］論理「１」であると重故障判定部８ａが判断し、故障名モニタ表示指示を発生し、ブザー音ＢＺを発生し、発電側遮断器を作動する。
（Ｊ１５）電流計７ｂの電流が［逆相電流＞３０％］である場合に、タイマを６０秒間計時している間論理「１」を出力し、［不平衡負荷］論理「１」であると軽故障判定部８ｂが判断し、故障名モニタ表示指示を発生し、ブザー音ＢＺを発生する。
（Ｊ１６）［進相負荷＞ｌｅａｄ１５０ｋｖａｒ］である場合に、タイマを５秒間計時している間論理「１」を出力し、［進相負荷］論理「１」であると軽故障判定部８ｂが判断し、故障名モニタ表示指示を発生し、ブザー音ＢＺを発生する。
【００３６】
（Ｊ１７）発電機遮断器が［自動並列］である場合に、［遮断器同期投入指令］があるとき、かつ、［発電機遮断器  切］である場合に［ＡＮＤ］から論理「１」を出力し、または、バイパス遮断器が［自動並列］である場合に、［遮断器同期投入指令］があるとき、かつ、［バイパス遮断器  切］である場合に［ＡＮＤ］から論理「１」を出力し、両［ＡＮＤ］の何れか１つからの論理「１」が出力される場合に［ＯＲ］から論理「１」を出力し、タイマを６０秒間計時している間論理「１」を出力し、［同期渋滞］論理「１」であると軽故障判定部８ｂが判断し、故障名モニタ表示指示を発生し、ブザー音ＢＺを発生する。
（Ｊ１９）燃料タンク４に設けられた燃料計４ａが［燃料油面低下＜６０Ｌ］の場合に論理「１」を出力し、［燃料油面低下］論理「１」であると軽故障判定部８ｂが判断し、故障名モニタ表示指示を発生し、ブザー音ＢＺを発生する。
【００３７】
（Ｊ２０）操作盤６から［機関始動命令］がある場合に、［排気口開指令］があるとき論理「１」を出力し、かつ、［排気口閉］がある場合に［ＡＮＤ］から論理「１」を出力し、または、［機関停止命令］がある場合に論理「１」を出力し、［機関停止］があるときに［排気口閉指令］があるとき論理「１」を出力し、かつ、［排気口開］がある場合に［ＡＮＤ］から論理「１」を出力し、両［ＡＮＤ］の何れか１つから論理「１」が出力される場合に［ＯＲ］からタイマを２５秒間計時している間論理「１」を出力し、［換気異常］論理「１」であると軽故障判定部８ｂが判断し、故障名モニタ表示指示を発生し、ブザー音ＢＺを発生する。
（Ｊ２１）冷却水タンクの［リザーブタンクフロートスイッチ動作］である場合に、タイマを５秒間計時している間論理「１」を出力し、［冷却水不足］論理「１」であると軽故障判定部８ｂが判断し、故障名モニタ表示指示を発生し、ブザー音ＢＺを発生する。
【００３８】
（Ｊ２２）冷却水タンクの温度計が［冷却水温度＞９７±２℃］である場合に論理「１」を出力し、タイマを２秒間計時している間論理「１」を出力し、かつ、［低速検知＞３００ｍｉｎ−１］にある場合に論理「１」を出力し、タイマを２０秒間計時している間論理「１」を出力し、両タイマが計時している間に［ＡＮＤ］から論理「１」を出力し、［冷却水温度警報］論理「１」であると軽故障判定部８ｂが判断し、故障名モニタ表示指示を発生し、ブザー音ＢＺを発生する。
（Ｊ２３）発電機３に設けられた潤滑油温度計が［潤滑油温度＞１１５±２℃］である場合に論理「１」を出力し、タイマを２秒間計時している間論理「１」を出力し、［潤滑油温度警報］論理「１」であると軽故障判定部８ｂが判断し、故障名モニタ表示指示を発生し、ブザー音ＢＺを発生する。
（Ｊ２４）発電機３の軸受に設けられた温度計が［発電機軸受温度＞９０±２℃］である場合に論理「１」を出力し、タイマを２秒間計時している間論理「１」を出力し、［発電機軸受温度上昇］論理「１」であると軽故障判定部８ｂが判断し、故障名モニタ表示指示を発生し、ブザー音ＢＺを発生する。
【００３９】
次いで、図１０において、（Ｊ２５）排気管に設けられた温度計が［排気温度＞６００±２℃］である場合に論理「１」を出力し、タイマを５秒間計時している間論理「１」を出力し、［排気温度警報］論理「１」であると軽故障判定部８ｂが判断し、故障名モニタ表示指示を発生し、ブザー音ＢＺを発生する。
（Ｊ２６）発電機３に設けられた固定子センサが［発電機固定子センサ断線］である場合に論理「１」を出力し、タイマを２秒間計時している間論理「１」を出力し、［発電機固定子センサ断線］論理「１」であると軽故障判定部８ｂが判断し、故障名モニタ表示指示を発生し、ブザー音ＢＺを発生する。
【００４０】
（Ｊ２７）発電機３の軸受に設けられた軸受けセンサが［発電機軸受センサ断線］である場合に論理「１」を出力し、タイマを２秒間計時している間論理「１」を出力し、［発電機軸受センサ断線］論理「１」であると軽故障判定部８ｂが判断し、故障名モニタ表示指示を発生し、ブザー音ＢＺを発生する。
（Ｊ２８）排気管に設けられた温度センサが［排気温度センサ断線］である場合に論理「１」を出力し、タイマを２秒間計時している間論理「１」を出力し、［排気温度センサ断線］論理「１」であると軽故障判定部８ｂが判断し、故障名モニタ表示指示を発生し、ブザー音ＢＺを発生する。
【００４１】
（Ｊ２９）発電機３の潤滑油パイプに設けられた温度センサが［潤滑油温度センサ断線］である場合に論理「１」を出力し、タイマを２秒間計時し論理「１」を出力し、［潤滑油温度センサ断線］論理「１」であると軽故障判定部８ｂが判断し、故障名モニタ表示指示を発生し、ブザー音ＢＺを発生する。
（Ｊ３０）発電機３の冷却水パイプに設けられた温度センサが［冷却水温度センサ断線］である場合に論理「１」を出力し、タイマ２秒間計時している間論理「１」を出力し、［冷却水温度センサ断線］論理「１」であると軽故障判定部８ｂが判断し、故障名モニタ表示指示を発生し、ブザー音ＢＺを発生する。
（Ｊ３１）電源側に設けられた電力計７ｃが［電源側電圧一相でもあり］の場合、または、［負荷側電圧一相でもあり］の場合に［ＯＲ］から論理「１」を出力し、かつ、接続箱に設けられた負荷側カバーが［接続箱負荷側カバー開］の場合には［ＡＮＤ］から論理「１」を出力し、［接続箱保護カバー開放］論理「１」であると軽故障判定部８ｂが判断し、故障名モニタ表示指示を発生し、ブザー音ＢＺを発生する。
【００４２】
（Ｊ３３）警報電源に設けられた［警報電源用サーキットプロテクタ切及びトリップ（ＣＰ−ＡＬ）］である場合に論理「１」を出力し、［警報電源断］論理「１」であると軽故障判定部８ｂが判断し、故障名モニタ表示指示を発生し、ブザー音ＢＺを発生する。
（Ｊ３４）［ＰＴ２次側サーキットプロテクタ切及びトリップ］である場合論理「１」を出力し、または、［制御電源用サーキットプロテクタトリップ］である場合論理「１」を出力し、または、［遮断器投入用サーキットプロテクタトリップ］である場合論理「１」を出力し、または、［エンジン制御電源用サーキットプロテクタトリップ］である場合論理「１」を出力し、または、［排気口用サーキットプロテクタトリップ］である場合論理「１」を出力し、または、［ケーブルドラム用サーキットプロテクタトリップ］である場合論理「１」を出力し、または、［燃料ポンプ用サーキットプロテクタトリップ］である場合論理「１」を出力し、または、［作業灯用サーキットプロテクタトリップ］である場合論理「１」を出力し、または、［照明用サーキットプロテクタトリップ］である場合論理「１」を出力し、または、［充電器用サーキットプロテクタトリップ］である場合論理「１」を出力し、または、［充電電圧計用サーキットプロテクタトリップ］である場合論理「１」を出力し、または、［発電機運転中  制御電源無し］である場合論理「１」を出力し、何れか１つが論理「１」の場合に［ＯＲ］から論理「１」を出力し、［制御・計装電源断］論理「１」であると軽故障判定部８ｂが判断し、ブザー音ＢＺを発生する。
【００４３】
なお、図８〜図１０に示す重故障判定部８ａ、軽故障判定部８ｂにより判定された結果である故障状態は、監視ＰＬＣ部７ｊから監視ＰＬＣ＿Ｉ／Ｆ部９ａ、データ収集部９ｅ、データ加工部９ｆを経由して、Ｗｅｂ表示部９ｃに送信される。データ加工部９ｆでは、故障データに含まれる故障内容からデータを加工し、Ｗｅｂ表示部９ｃは表示データを生成する。さらに、表示データは、Ｗｅｂ表示部９ｃから携帯電話モジュールＩ／Ｆ部９ｇ、携帯電話モジュール９ｍ、携帯電話基地局１０、インターネット１１、情報端末１２に送信される。情報端末１２は、受信した表示データをディスプレイに表示するので、ユーザは発電機の故障内容を視覚的に確認することができる。
【００４４】
また、運転状態監視装置７により判定された故障状態情報が重故障または軽故障である場合に、故障項目を示す名称情報をサーバ９に出力し、サーバ９は、運転状態監視装置７から入力された故障項目を示す名称情報をインターネット経由で情報端末に送信することで、ユーザは発電機の故障内容を視覚的に確認することができる。
このように、運転状態監視装置７が、運転状態情報に基づいて故障状態を判定し、サーバ９が、運転状態監視装置７からの運転状態情報、故障状態情報を収集し、情報端末１２からインターネット１１を介して情報表示要求を受信し、受信された情報表示要求に応じて、収集された運転状態情報、故障状態情報を携帯電話基地局１０、インターネット１１を介して情報端末１２に送信するので、発電機車の運転状態及び故障状態を遠隔地から確認することができる。
【００４５】
＜第２実施形態＞
本発明の第２実施形態に係る遠隔監視制御システムは、図１及び図２に示す本発明の第１実施形態に係る遠隔監視制御システムに適用可能である。
次に、図１１に示すシーケンス図を参照して、本発明の第２実施形態に係る遠隔監視制御システムを構成する各装置間のデータ伝送に関するシーケンスについて説明する。
まず、情報端末１２のディスプレイに発電機起動ボタンが表示されているとする。ユーザによるマウスのカーソル操作およびクリック操作に応じて発電機起動ボタンがオン操作されると、シーケンスＳｅ３０では、発電機起動信号が情報端末１２からインターネット１１、インターネットＧ／Ｗ１４、携帯電話会社網１３、携帯電話基地局１０、携帯電話モジュール９ｍ、携帯電話モジュールＩ／Ｆ部９ｇを介してＷｅｂ表示部９ｃに送信される。シーケンスＳｅ３１〜Ｓｅ３２では、発電機起動信号は、Ｗｅｂ表示部９ｃで発電機起動要求に変換してデータ加工部９ｆ、データ収集部９ｅを経由して監視ＰＬＣ＿Ｉ／Ｆ部９ａに送信し、監視ＰＬＣ＿Ｉ／Ｆ部９ａでは発電機起動要求を発電機起動信号に変換して監視ＰＬＣ＿Ｉ／Ｆ部９ａ、監視ＰＬＣ部７ｊに送信される。
【００４６】
発電機起動信号を受信した運転状態監視装置７は、受信した発電機起動信号に従って発電機を起動する前に、各種センサからの検出データに基づいて故障の有無を判定する。
発電機に故障がある場合、シーケンスＳｅ３５では、監視ＰＬＣ部７ｊは、故障信号に故障内容を付加して送信する。シーケンスＳｅ３５〜Ｓｅ３７では、故障信号は順次、監視ＰＬＣ部７ｊから監視ＰＬＣ＿Ｉ／Ｆ部９ａへ送信される。監視ＰＬＣ＿Ｉ／Ｆ部９ａでは故障信号を故障データに変換し、データ収集部９ｅ、データ加工部９ｆを経由して、Ｗｅｂ表示部９ｃに送信される。データ加工部９ｆでは、故障データに含まれる故障内容からデータを加工し、Ｗｅｂ表示部９ｃは表示データを生成する。さらに、表示データは、Ｗｅｂ表示部９ｃから携帯電話モジュールＩ／Ｆ部９ｇ、携帯電話モジュール９ｍ、携帯電話基地局１０、携帯電話会社網１３、インターネットＧ／Ｗ１４、インターネット１１、情報端末１２に送信される。情報端末１２は、受信した表示データをディスプレイに表示するので、ユーザは発電機の故障内容を視覚的に確認することができる。
【００４７】
一方、発電機に故障がなく起動中の場合、シーケンスＳｅ３９では、監視ＰＬＣ部７ｊは、起動中信号を送信する。シーケンスＳｅ３９〜Ｓｅ４１では、起動中信号は順次、監視ＰＬＣ部７ｊから監視ＰＬＣ＿Ｉ／Ｆ部９ａへ送信される。監視ＰＬＣ＿Ｉ／Ｆ部９ａでは起動中信号を起動データに変換し、データ収集部９ｅ、データ加工部９ｆを経由して、Ｗｅｂ表示部９ｃに送信される。データ加工部９ｆでは、起動中データに含まれる内容からデータを加工し、Ｗｅｂ表示部９ｃでは起動中表示データを生成する。さらに、表示データは、Ｗｅｂ表示部９ｃから携帯電話モジュールＩ／Ｆ部９ｇ、携帯電話モジュール９ｍ、携帯電話基地局１０、携帯電話会社網１３、インターネットＧ／Ｗ１４、インターネット１１、情報端末１２に送信される。情報端末１２は、受信した起動中表示データをディスプレイに表示するので、ユーザは発電機が起動中であることを視覚的に確認することができる。
【００４８】
さらに、発電機を起動後に運転中になった場合、シーケンスＳｅ４３では、監視ＰＬＣ部７ｊは、運転中信号を送信する。シーケンスＳｅ４３〜Ｓｅ４５では、運転中信号は順次、監視ＰＬＣ部７ｊから監視ＰＬＣ＿Ｉ／Ｆ部９ａへ送信される。監視ＰＬＣ＿Ｉ／Ｆ部９ａでは運転中信号を運転データに変換し、データ収集部９ｅ、データ加工部９ｆを経由して、Ｗｅｂ表示部９ｃに送信される。データ加工部９ｆでは、運転中データに含まれる内容からデータを加工し、Ｗｅｂ表示部９ｃでは運転中表示データを生成する。さらに、表示データは、Ｗｅｂ表示部９ｃから携帯電話モジュールＩ／Ｆ部９ｇ、携帯電話モジュール９ｍ、携帯電話基地局１０、インターネット１１、情報端末１２に送信される。情報端末１２は、受信した運転中表示データをディスプレイに表示するので、ユーザは発電機が運転中であることを視覚的に確認することができる。
【００４９】
次に、図１２（ａ）に示すフローチャート、図１２（ｂ）〜（ｄ）に示す表示画面例を参照して、遠隔監視制御システムにおいて遠隔地から発電機を起動する場合のサーバ９の動作について説明する。
まず、情報端末１２のディスプレイに例えば図１２（ｂ）に示すように、発電機起動ボタンが表示されているとする。ユーザによるマウスのカーソル操作およびクリック操作に応じて発電機起動ボタンがオン操作されると、発電機起動信号が情報端末１２からインターネット１１、インターネットＧ／Ｗ１４、携帯電話会社網１３、携帯電話基地局１０、携帯電話モジュール９ｍ、携帯電話モジュールＩ／Ｆ部９ｇを介してＷｅｂ表示部９ｃに送信される。
【００５０】
ステップＳ１０５では、Ｗｅｂ表示部９ｃは、情報端末１２からインターネット１１、インターネットＧ／Ｗ１４、携帯電話会社網１３、携帯電話基地局１０、携帯電話モジュール９ｍ、携帯電話モジュールＩ／Ｆ部９ｇを介して発電機起動信号を受信することを待ち受ける。情報端末１２から発電機起動信号を受信した場合には、ステップＳ１１０に進み、Ｗｅｂ表示部９ｃは、発電機起動要求をデータ加工部９ｆ、データ収集部９ｅ、監視ＰＬＣ＿Ｉ／Ｆ部９ａ、監視ＰＬＣ部７ｊへ送信する。
これにより、サーバ９は、情報端末１２からインターネットを介して発電機３の起動指示を受信し、該発電機３の起動指示を運転状態監視装置７に出力して発電機３を起動させることができる。
次いで、ステップＳ１１５では、データ加工部９ｆは、監視ＰＬＣ部７ｊ、監視ＰＬＣ＿Ｉ／Ｆ部９ａ、データ収集部９ｅを介して故障信号を受信したか否かを判断する。故障信号を受信した場合には、ステップＳ１５０に進む。
【００５１】
一方、故障信号を受信していない場合には、ステップＳ１２０に進み、運転状態監視装置７から起動中信号を受信したか否かを判断する。起動中信号を受信していない場合には、ステップＳ１１５に進む。
起動中信号を受信した場合には、ステップＳ１２５に進み、データ加工部９ｆはＷｅｂ表示部９ｃを経由してＷｅｂ画面に「発電機起動中」と表示するための表示データを生成し、情報端末１２に送信する。これにより、当該表示データを受信した情報端末１２は、例えば図１２（ｃ）に示すような表示画面をディスプレイに表示することができ、ユーザは発電機が起動中であることを視覚的に確認することができる。
次いで、ステップＳ１３０では、データ加工部９ｆは、運転状態監視装置７から故障信号を受信したか否かを判断する。故障信号を受信した場合には、ステップＳ１５０に進む。
【００５２】
一方、故障信号を受信していない場合には、ステップＳ１３５に進み、運転状態監視装置７から運転中信号を受信したか否かを判断する。運転中信号を受信した場合には、ステップＳ１４５に進む。
運転中信号を受信していない場合には、ステップＳ１４０に進み、データ加工部９ｆはは、タイマで一定時間（Ｓ２秒間）、Ｗｅｂ表示部９ｃを経由してＷｅｂ画面に「発電機起動中」と表示するための表示データを生成し、情報端末１２に送信する。これにより、当該表示データを受信した情報端末１２は、例えば図１２（ｃ）に示すような表示画面をディスプレイに表示することができ、ユーザは発電機が起動中であることを視覚的に確認することができる。
これにより、サーバは、運転状態監視装置７から発電機が起動したことを示す起動中信号または運転中信号を受信した場合に、発電機３が起動中または運転中であることを示す表示情報をインターネット経由で情報端末１２に送信することができる。
【００５３】
一方、運転中信号を受信した場合には、ステップＳ１４５に進み、データ加工部９ｆはＷｅｂ表示部９ｃを経由してＷｅｂ画面に「発電機運転中」と表示するための表示データを生成し、情報端末１２に送信し、ステップＳ１５５に進む。これにより、当該表示データを受信した情報端末１２は、例えば図１２（ｄ）に示すような表示画面をディスプレイに表示することができ、ユーザは発電機が運転中であることを視覚的に確認することができる。
他方、ステップＳ１１５またはＳ１３０において、故障信号を受信した場合には、ステップＳ１５０に進み、データ加工部９ｆはＷｅｂ表示部９ｃを経由してＷｅｂ画面に故障内容を表示するための表示データを生成し、情報端末１２に送信し、ステップＳ１５５に進む。これにより、当該表示データを受信した情報端末１２は、例えば図６に示すような表示画面をディスプレイに表示することができ、ユーザは発電機が故障したことを視覚的に確認することができる。
次いで、ステップＳ１５５では、Ｗｅｂ表示部９ｃは、情報端末１２からログアウト情報を受信したか否かを判断する。情報端末１２からログアウト情報を受信していない場合（Ｓ１５５  Ｎｏ）には、ステップＳ１３０に戻り、ステップＳ１３０〜Ｓ１５５での処理を繰り返す。一方、情報端末１２からログアウト情報を受信した場合（Ｓ１５５  Ｙｅｓ）には、該当するユーザのログアウト処理を行う。
【００５４】
次に、図１３に示すフロー図を参照して、運転状態監視装置７に設けられた発電機起動部８ｇによる発電機起動処理について説明する。なお、図１３に示すフロー図は正論理で示されている。
まず、図１３において、（Ｋ１）操作盤６に設けられた発電機停止ＳＷがオンされた場合、または、Ｗｅｂ表示部９ｃから監視ＰＬＣ＿Ｉ／Ｆ部９ａ、監視ＰＬＣ部７ｊを介して発電機停止信号が入力された場合、［発電機遮断器を切断］し、発電機停止ＧＬ１をフリッカまたは点灯し、［タイマ］で３分間計時する間論理「１」とする。
（Ｋ２）上記（Ｋ１）が論理「１」、または、重故障判定部８ａの判定結果として［重故障］あり「１」、または、運転席監視盤から［非常停止］が論理「１」、または、運転席に設けられたパーソナルコンピュータのグラフィック操作画面からの［非常停止］が「１」の場合に［ＯＲ］から論理「１」を出力し、［機関停止指令］を発行しタイマで３秒後に当該［機関停止指令］を解除し論理「０」に戻す。
【００５５】
（Ｋ３）上記（Ｋ２）が論理「１」、または、運転席に設けられたパーソナルコンピュータのグラフィック操作画面からの非常停止が「１」の場合に［ＯＲ］から論理「１」を出力し、［電子ガバナの電源を切断］し、［機関停止］の論理を「１」とする。
（Ｋ４）上記（Ｋ２）が論理「１」の場合、または、［換気異常］の場合に［ＯＲ］から論理「１」を出力し、フリップフロップ（ＳＲ−ＦＦ）をリセットし論理「０」に戻す。
これにより、運転状態監視装置７は、判定された故障状態情報が重故障である場合に、サーバ９から入力された発電機の起動指示をリセットすることで、重故障が発生した場合の発電機３への無理な起動を回避することができる。
【００５６】
（Ｋ５）発電機３の始動条件として、（１）重故障でない（バイパス側過電流を除く）、（２）軽故障でない、（３）機関停止中でない、（４）機関運転中でない、（５）発電電圧なし、（６）発電側遮断機が切の場合に、操作盤６に設けられた発電機始動ＳＷがオンされた場合に論理「１」となり、または、Ｗｅｂ表示部９ｃから監視ＰＬＣ＿Ｉ／Ｆ部９ａ、監視ＰＬＣ部７ｊを介して発電機起動信号が入力された場合に論理「１」となり、フリップフロップ（ＳＲ−ＦＦ）をセットし論理「１」とする。
これにより、サーバ９が情報端末１２からインターネットを介して発電機３の起動指示を受信した場合に、サーバ９から該発電機３の起動指示を運転状態監視装置７に出力し、運転状態監視装置７において発電機３を起動させることができる。
【００５７】
（Ｋ６）上記（Ｋ５）が論理「１」の場合に、［機関始動命令］が論理「１」であるので、発電機始動ＲＬ１をフリッカまたは点灯し、［ダンパ開指令］をダンパ駆動部（図示しない）に出力し、［換気口が開］いた場合に［ダンパ開指令］を解除したときに論理「１」となり、かつ、操作盤６に設けられた始動補助ＳＷが［切］の場合に［ＡＮＤ］から論理「１」を出力する。
（Ｋ７）上記（Ｋ５）が論理「１」の場合に、［機関始動命令］で論理「１」あり、かつ、操作盤６に設けられた始動補助ＳＷが［入］の場合に［ＡＮＤ］から論理「１」を出力する。
【００５８】
（Ｋ８）上記（Ｋ７）が論理「１」の場合に、［吸気ヒータ］をオンし、タイマで３０秒間論理「１」を出力する場合、かつ、［換気口開］である場合に［ＡＮＤ］から論理「１」を出力する。
（Ｋ９）上記（Ｋ６）が論理「１」の場合、または、上記（Ｋ８）が論理「１」の場合に［ＯＲ］から論理「１」を出力し、原動機の回転軸に接続されている［セルモータ］を駆動し、原動機の［速度検出］を行い該速度が３００ｒｐｍになった場合に当該セルモータの駆動を解除し、論理「１」とし、［吸気ヒータ］をオフ（解除）し、さらに、タイマで３０秒間［保護回路形成］（油圧、水温）に関する論理「１」を出力する。
（Ｋ１０）上記（Ｋ９）が論理「１」の場合に、［アイドリング運転］を行って論理「１」を出力し、操作盤６に設けられた始動補助ＳＷが［切］の場合にタイマで６０秒間［アイドリング運転］の論理「１」を解除し論理「０」とし、当該始動補助ＳＷが［入］の場合にタイマで１８０秒間［アイドリング運転］の論理「１」を解除し論理「０」とする。
【００５９】
（Ｋ１１）上記（Ｋ１０）が論理「１」の場合、原動機の［速度検出］を行い該速度が３００ｒｐｍになった場合に発電機３の［初期励磁］を行い、［発電電圧］が６６００Ｖ送電時に５７００Ｖ（９５Ｖ）以上になっている場合に論理「１」を出力し、［機関始動完了］および［発電機運転時間計］について論理「１」を出力し、さらに、タイマで３秒間だけ発電中ＲＬ７を点灯する。ここで、原動機の［速度検出］を行い該速度が３００ｒｐｍになった場合に、タイマで１０秒間［保護回路形成］（不足電圧）に関する論理「１」を出力する。
なお、図１３に示す発電機起動部８ｇにより実行された結果である運転状態情報は、監視ＰＬＣ部７ｊから監視ＰＬＣ＿Ｉ／Ｆ部９ａ、データ収集部９ｅ、データ加工部９ｆを経由して、Ｗｅｂ表示部９ｃに送信される。データ加工部９ｆでは、運転状態情報からデータを加工し、Ｗｅｂ表示部９ｃは表示データを生成する。さらに、表示データは、Ｗｅｂ表示部９ｃから携帯電話モジュールＩ／Ｆ部９ｇ、携帯電話モジュール９ｍ、携帯電話基地局１０、インターネット１１、情報端末１２に送信される。情報端末１２は、受信した表示データをディスプレイに表示するので、ユーザは発電機の運転状態の内容を視覚的に確認することができる。
【符号の説明】
【００６０】
１…発電機車、２…原動機、３…発電機、３ａ…発電機センサ、４…燃料タンク、４ａ…燃料計、５…バッテリ、６…操作盤、７…運転状態監視装置、７ａ…開閉器センサ、７ｂ…電流計、７ｃ…電圧計、７ｃ…電力計、７ｄ…電力量計、７ｅ…周波数計、７ｆ…温度計、７ｆ…各種温度計、７ｇ…潤滑油圧力計、７ｇ…油圧圧力計、７ｈ…ＴＤ部、７ｉ…Ａ／Ｄ変換器、７ｊ…監視ＰＬＣ部、７ｋ…データ記憶部、８ａ…重故障判定部、８ｂ…軽故障判定部、８ｂ…重故障判定部、８ｇ…発電機起動部、９…サーバ、９ｂ…暗号化処理部、９ｃ…Ｗｅｂ表示部、９ｄ…ユーザ管理部、９ｅ…データ収集部、９ｆ…データ加工部、９ｇ…携帯電話モジュールＩ／Ｆ部、９ｉ…ＣＰＵ、９ｊ…メモリ、９ｋ…ストレージ、９ｍ…携帯電話モジュール、１０…携帯電話基地局、１１…インターネット、１２…情報端末、１３…携帯電話会社網、１４…インターネットＧ／Ｗ
【図１】
2014115819.tif 000003
【図２】
2014115819.tif 000004
【図３】
2014115819.tif 000005
【図４】
2014115819.tif 000006
【図５】
2014115819.tif 000007
【図６】
2014115819.tif 000008
【図７】
2014115819.tif 000009
【図８】
2014115819.tif 000010
【図９】
2014115819.tif 000011
【図１０】
2014115819.tif 000012
【図１１】
2014115819.tif 000013
【図１２】
2014115819.tif 000014
【図１３】
2014115819.tif 000015
【手続補正書】
【提出日】平成26年1月20日(2014.1.20)
【手続補正１】
【補正対象書類名】特許請求の範囲
【補正対象項目名】全文
【補正方法】変更
【補正の内容】
【特許請求の範囲】
【請求項１】
原動機、発電機、原動機及び発電機の運転状態を監視するとともに、前記発電機を起動するための運転状態監視装置と、前記運転状態監視装置からの運転状態情報をインターネット経由で情報端末に送信するサーバと、を備えた発電機車の遠隔監視制御システムであって、
前記運転状態監視装置は、
原動機及び発電機の運転状態を検出する複数の検出センサと、
複数の前記検出センサからの検出データに基づいて複数の論理処理を並列して行うことにより重故障状態の有無を判定する重故障判定手段と、
複数の前記検出センサからの検出データに基づいて複数の論理処理を並列して行うことにより軽故障状態を判定する軽故障判定手段と、を備え、
前記サーバは、
前記運転状態監視装置からの運転状態情報及び故障状態情報を収集する収集手段と、
前記情報端末からインターネット経由で情報表示要求を受信する受信手段と、
前記受信手段により受信された情報表示要求に応じて、前記収集手段により収集された前記運転状態情報、前記故障状態情報をインターネット経由で前記情報端末に送信する送信手段と、を備えたことを特徴とする発電機車の遠隔監視制御システム。
【請求項２】
前記サーバは、
前記情報端末からインターネット経由で前記発電機の起動指示を受信する受信手段を備え、
前記受信手段により受信された前記発電機の起動指示を前記運転状態監視装置に出力し、前記発電機を起動させることを特徴とする請求項１記載の発電機車の遠隔監視制御システム。
【請求項３】
前記サーバは、
前記運転状態監視装置から前記発電機が起動したことを示す起動中信号または運転中信号を入力した場合に、前記送信手段は、前記発電機が起動中または運転中であることを示す表示情報をインターネット経由で前記情報端末に送信することを特徴とする請求項２記載の発電機車の遠隔監視制御システム。
【請求項４】
前記運転状態監視装置は、
前記判定手段により判定された故障状態情報が重故障である場合に、前記サーバから入力された前記発電機の起動指示をリセットすることを特徴とする請求項２記載の発電機車の遠隔監視制御システム。
【請求項５】
前記運転状態監視装置は、
前記判定手段により判定された故障状態情報が重故障または軽故障である場合に、故障項目を示す名称情報を前記サーバに出力し、
前記サーバは、前記送信手段により前記運転状態監視装置から入力された故障項目を示す名称情報をインターネット経由で前記情報端末に送信することを特徴とする請求項４記載の発電機車の遠隔監視制御システム。
【請求項６】
前記サーバから前記情報端末に送信される名称情報として、重故障は、始動渋滞、潤滑油圧力低下、冷却水温度上昇、発電機固定子温度上昇、過速度、過電圧、不足電圧、地絡過電圧、シーケンサ異常、過負荷、逆電力、非常停止のうちの少なくとも１つであり、軽故障は、不平衡付加、進相負荷、同期渋滞、燃料油面低下、換気異常、冷却水不足、冷却水温度警報、潤滑油温度警報、発電機軸受温度上昇、排気温度警報、発電機固定子センサ断線、発電機軸受センサ断線、排気温度センサ断線、潤滑油温度センサ断線、冷却水温度センサ断線、接続箱保護カバー開放、警報電源断のうちの少なくとも１つであることを特徴とする請求項１記載の発電機車の遠隔監視制御システム。
【請求項７】
前記サーバは、前記サーバに登録されたユーザＩＤ及びパスワードを有するユーザにのみ前記サーバへ遠隔からのログインを許可し、前記サーバと前記情報端末間を暗号化してデータ通信を行うことを特徴とする請求項１乃至６の何れか１項記載の発電機車の遠隔監視制御システム。
【手続補正２】
【補正対象書類名】明細書
【補正対象項目名】０００８
【補正方法】変更
【補正の内容】
【０００８】
上記課題を解決するため、請求項１記載の発明は、原動機、発電機、原動機及び発電機の運転状態を監視するとともに、前記発電機を起動するための運転状態監視装置と、前記運転状態監視装置からの運転状態情報をインターネット経由で情報端末に送信するサーバと、を備えた発電機車の遠隔監視制御システムであって、前記運転状態監視装置は、原動機及び発電機の運転状態を検出する複数の検出センサと、複数の前記検出センサからの検出データに基づいて複数の論理処理を並列して行うことにより重故障状態の有無を判定する重故障判定手段と、複数の前記検出センサからの検出データに基づいて複数の論理処理を並列して行うことにより軽故障状態を判定する軽故障判定手段と、を備え、前記サーバは、前記運転状態監視装置からの運転状態情報及び故障状態情報を収集する収集手段と、前記情報端末からインターネット経由で情報表示要求を受信する受信手段と、前記受信手段により受信された情報表示要求に応じて、前記収集手段により収集された前記運転状態情報、前記故障状態情報をインターネット経由で前記情報端末に送信する送信手段と、を備えたことを特徴とする。